(57)【要約】【課題】装置内外の障害発生時においても監視制御情報を用いた監視制御を継続できること。【解決手段】光伝送路上に複数配置され、主信号の光通信を行う光伝送装置５００は、光伝送装置５００の警報監視および信号制御を行う第一の監視制御部５０７と、第一の監視制御部５０７の停止期間中、光伝送装置５００の警報監視および信号制御を行う第二の監視制御部５５５と、第一の監視制御部５０７および第二の監視制御部５５５が対向する他の光伝送装置３０との間で警報監視の監視制御情報を送受信するＯＳＣ送受信部５０５，５５３と、対向する他の光伝送装置３０との間で光通信する主信号に対し、監視制御情報を合波および分波するＷＤＭ合分波部５９１，５９２と、を備える。【選択図】図５
2019057761.tif 000002
【特許請求の範囲】
【請求項１】
光伝送路上に複数配置され、主信号の光通信を行う光伝送装置であって、
前記光伝送装置の警報監視および信号制御を行う第一の監視制御部と、
前記第一の監視制御部の停止期間中、前記光伝送装置の警報監視および信号制御を行う第二の監視制御部と、
前記第一の監視制御部および前記第二の監視制御部が対向する他の光伝送装置との間で前記警報監視の監視制御情報を送受信する装置間監視制御信号送受信部と、
対向する他の光伝送装置との間で光通信する前記主信号に対し、前記監視制御情報を合波および分波する合分波部と、
を備えたことを特徴とする光伝送装置。
【請求項２】
前記第一の監視制御部および前記第二の監視制御部は、それぞれＣＰＵと、プログラム可能な半導体デバイスを有し、
前記第一の監視制御部の前記プログラム可能な半導体デバイスは、前記前記第一の監視制御部の前記ＣＰＵが正常に動作しているか否かを検出し、前記ＣＰＵの停止時に前記監視制御情報により前記第二の監視制御部に通知するウォッチドッグ監視部を備えたことを特徴とする請求項１に記載の光伝送装置。
【請求項３】
前記第一の監視制御部と、前記第二の監視制御部との間で前記監視制御情報を送受信する装置内監視制御信号送受信部を有することを特徴とする請求項１または２に記載の光伝送装置。
【請求項４】
前記第一の監視制御部および前記第二の監視制御部それぞれの前記装置間監視制御信号送受信部と、前記合分波部との間に設けられ、対向する他の光伝送装置との間で光通信する前記監視制御情報を前記第一の監視制御部または前記第二の監視制御部のいずれかに切り替える光スイッチを有し、
前記プログラム可能な半導体デバイスは、制御動作している前記第一の監視制御部または前記第二の監視制御部に前記監視制御情報を入出力するよう前記光スイッチを切り替え制御する光スイッチ制御部を備えることを特徴とする請求項１〜３のいずれか一つに記載の光伝送装置。
【請求項５】
前記第一の監視制御部の前記プログラム可能な半導体デバイスは、
前記第一の監視制御部の前記ＣＰＵが正常動作の場合、前記第一の監視制御部から前記装置間監視制御信号送受信部を介して前記監視制御情報を対向する光伝送装置に出力させるとともに、前記装置内監視制御信号送受信部により前記第一の監視制御部の前記ＣＰＵの正常動作を前記第二の監視制御部に通知して前記第二の監視制御部の前記装置間監視制御信号送受信部からの前記監視制御情報の出力を停止させ、
前記第一の監視制御部の前記ＣＰＵが停止した場合、前記装置間監視制御信号送受信部による前記監視制御情報の出力を停止するとともに、前記装置内監視制御信号送受信部により前記第一の監視制御部の前記ＣＰＵの停止を前記第二の監視制御部に通知して前記第二の監視制御部の前記装置間監視制御信号送受信部から前記監視制御情報の出力を行わせることを特徴とする請求項２または３に記載の光伝送装置。
【請求項６】
前記第一の監視制御部の前記プログラム可能な半導体デバイスは、
前記第一の監視制御部の前記ＣＰＵが正常動作の場合、前記第一の監視制御部から前記装置間監視制御信号送受信部を介して前記監視制御情報を対向する光伝送装置との間で入出力する方路指示を前記光スイッチに出力し、
前記第一の監視制御部の前記ＣＰＵが停止した場合、前記第二の監視制御部から前記装置間監視制御信号送受信部を介して前記監視制御情報を対向する光伝送装置との間で入出力する方路指示を前記光スイッチに出力する、
ことを特徴とする請求項４に記載の光伝送装置。
【請求項７】
前記主信号は、複数の信号が波長多重されたＷＤＭ信号であり、
前記装置間監視制御信号送受信部は、ＯＳＣ（Ｏｐｔｉｃａｌ  Ｓｕｐｅｒｖｉｓｏｒｙ  Ｃｈａｎｎｅｌ）を用いて前記監視制御情報を送受信し、
前記合分波部は、前記ＷＤＭ信号に前記監視制御情報を合分波するカプラおよびスプリッタであることを特徴とする請求項１〜６のいずれか一つに記載の光伝送装置。
【請求項８】
前記第一の監視制御部および前記第二の監視制御部を一組として、対向する上流の光伝送装置との間で前記監視制御情報を入出力し、もう一組の前記第一の監視制御部および前記第二の監視制御部により、対向する下流の光伝送装置との間で前記監視制御情報を入出力することを特徴とする請求項１〜７のいずれか一つに記載の光伝送装置。
【請求項９】
前記装置内監視制御信号送受信部は、複数組からなる前記第一の監視制御部および前記第二の監視制御部にそれぞれ設けられ、装置内でリング状の経路を有して前記監視制御情報を入出力することを特徴とする請求項３〜８のいずれか一つに記載の光伝送装置。
【請求項１０】
複数組からなる前記第一の監視制御部および前記第二の監視制御部がそれぞれハブとなり、装置内信号パス制御部の制御に基づき、装置内のハブ間の経路を有して前記監視制御情報を入出力することを特徴とする請求項３〜８のいずれか一つに記載の光伝送装置。
【請求項１１】
光伝送路上に複数配置され、主信号の光通信を行う光伝送装置からなる光伝送システムであって、
前記光伝送装置は、
前記光伝送装置の警報監視および信号制御を行う第一の監視制御部と、
前記第一の監視制御部の停止期間中、前記光伝送装置の警報監視および信号制御を行う第二の監視制御部と、
前記第一の監視制御部および前記第二の監視制御部が対向する他の光伝送装置との間で前記警報監視の監視制御情報を送受信する装置間監視制御信号送受信部と、
対向する他の光伝送装置との間で光通信する前記主信号に対し、前記監視制御情報を合波および分波する合分波部と、を備え、
複数の光伝送装置は、前記光伝送路を介してネットワーク管理装置に前記監視制御情報を出力することを特徴とする光伝送システム。
【請求項１２】
前記光伝送路は、インバンドの監視制御ネットワークであることを特徴とする請求項１１に記載の光伝送システム。
【請求項１３】
光伝送路上に複数配置され、主信号の光通信を行う光伝送装置の光伝送方法であって、
前記光伝送装置の警報監視および信号制御を行う第一の監視制御部の停止期間中、前記光伝送装置の警報監視および信号制御を第二の監視制御部が行い、
前記第一の監視制御部および前記第二の監視制御部が対向する他の光伝送装置との間で前記警報監視の監視制御情報を送受信し、
対向する他の光伝送装置との間で光通信する前記主信号に対し、前記監視制御情報を合波および分波させる、
ことを特徴とする光伝送方法。
【発明の詳細な説明】
【技術分野】
【０００１】
本発明は、伝送する光信号を監視制御信号を用いて監視する光伝送装置、光伝送システムおよび光伝送方法に関する。
【背景技術】
【０００２】
波長多重（ＷＤＭ）伝送を適用したＷＤＭ光伝送システムでは、ＷＤＭ信号光のパスを多方路に接続しうる方路自由度の高い装置構成により、ネットワーク構築の柔軟性を高めるとともに多数の冗長経路が採れる光伝送システムの需要が伸びている。方路自由度の高い光伝送装置は、任意の方向にＷＤＭ信号光の挿入または分岐を行う光分岐挿入（ＯＡＤＭ）機能と、ＷＤＭ信号の波長割当てや方路を任意に設定でき、光クロスコネクト（ＯＸＣ）を行うＣＤ機能を備える。
【０００３】
ＷＤＭは、Ｗａｖｅｌｅｎｇｔｈ  Ｄｉｖｉｓｉｏｎ  Ｍｕｌｔｉｐｌｅｘｉｎｇ、ＯＡＤＭは、Ｏｐｔｉｃａｌ  Ａｄｄ  Ｄｒｏｐ  Ｍｕｌｔｉｐｌｅｘｅｒの略である。ＯＸＣは、Ｏｐｔｉｃａｌ  Ｃｒｏｓｓ  Ｃｏｎｎｅｃｔ、ＣＤは、Ｃｏｌｏｒｌｅｓｓ−Ｄｉｒｅｃｔｉｏｎｌｅｓｓの略である。
【０００４】
波長多重方式の光伝送システムでは、ＷＤＭ信号と監視信号（ＯＳＣ：Ｏｐｔｉｃａｌ  Ｓｕｐｅｒｖｉｓｏｒｙ  Ｃｈａｎｎｅｌ）に同じ光伝送路を使用するインバンドによる監視方式が用いられる。インバンドによる監視方式では、光伝送路の障害が監視制御網にも影響を与えるので、ネットワークの高信頼化のため、光伝送装置から光伝送装置のリング構成のネットワークとして監視制御経路を冗長化する構成が採られている。光伝送システムが、リング構成のネットワークでない場合、ネットワークの監視制御経路を冗長化できない。上述の非リング構成のネットワークにおいては、例えば光伝送装置の監視制御機能が停止すると、ネットワーク管理装置（ＮＭＳ）から光伝送装置より遠隔にある光伝送装置から光伝送装置および各光伝送装置間の光伝送路の監視制御が行えない課題がある。ＮＭＳは、Ｎｅｔｗｏｒｋ  Ｍａｎａｇｅｍｅｎｔ  Ｓｙｓｔｅｍの略である。
【０００５】
この課題を克服する従来技術として、ＷＤＭ信号レイヤ（Ｌ０）の光伝送装置（Ｌ０装置）と、Ｌ０と異なるレイヤ（Ｌｘ）の通信装置（Ｌｘ装置）とのマルチレイヤ装置間通信手段を備えた技術が開示されている（下記特許文献１参照。）。この技術では、Ｌｘ装置の監視制御信号を用いることにより、Ｌ０ネットワークの監視制御網とＬｘネットワークの監視制御網を互いに補完する。そして、あるレイヤのネットワークの監視制御網が一部不通となった障害が生じた場合に、障害が発生したレイヤの監視制御情報を、別のレイヤの監視制御網を用いてＮＭＳと送受信することにより、速やかな保守操作が可能となり、監視制御ネットワークの高信頼化を実現している。
【先行技術文献】
【特許文献】
【０００６】
【特許文献１】特開２０１５−２０４４６７号公報
【発明の概要】
【発明が解決しようとする課題】
【０００７】
しかしながら、Ｌｘネットワークの監視制御網では、遠隔拠点にあるＬｘ装置と監視制御情報を送受信するために、光伝送装置のＷＤＭ信号、つまりＬ０ネットワークをＬｘ監視制御網として用いるので、Ｌ０ネットワークに障害が生じた場合に、監視制御網が相互に補完されることなく、障害箇所で途絶えることとなる。
【０００８】
例えば、Ｌ０ネットワークの監視制御網の光伝送装置の監視制御機能が停止している時に、この光伝送装置より遠隔拠点で設定されたＷＤＭ信号パスに障害が生じると、Ｌ０ネットワークとＬｘネットワークの双方の監視制御網が遮断される。そして、監視制御網から障害情報を収集できなくなり、ＷＤＭ信号パスの障害箇所を特定することができなくなる。ＮＭＳと光伝送装置のＬ０およびＬｘの監視制御網が遮断されるため、障害復旧のための迂回したＷＤＭ信号パスの切替制御ができずに長い時間ネットワーク障害が継続するばかりでなく、障害発生箇所の特定ができないため、障害復旧に多大な労力が必要となり、ネットワーク保守に課題が生じた。
【０００９】
また、あるレイヤの監視制御情報に異なるレイヤの監視制御情報を加えるためのマルチレイヤの装置間通信を行う監視制御網であるため、異なるレイヤ装置間を跨る制御インタフェースや、各レイヤの監視制御情報のフレームフォーマットが複雑となった。さらに、異なるレイヤの装置が同じ拠点に格納されていない光伝送ネットワークでは、補完する監視制御網が構築できないため、異なるレイヤの装置を同じ拠点に設置する大規模かつ高額なネットワークとなる課題を有する。
【００１０】
一つの側面では、本発明は、装置内外の障害発生時においても監視制御情報を用いた監視制御を継続できることを目的とする。
【課題を解決するための手段】
【００１１】
一つの案では、光伝送装置は、光伝送路上に複数配置され、主信号の光通信を行う光伝送装置であって、前記光伝送装置の警報監視および信号制御を行う第一の監視制御部と、前記第一の監視制御部の停止期間中、前記光伝送装置の警報監視および信号制御を行う第二の監視制御部と、前記第一の監視制御部および前記第二の監視制御部が対向する他の光伝送装置との間で前記警報監視の監視制御情報を送受信する装置間監視制御信号送受信部と、対向する他の光伝送装置との間で光通信する前記主信号に対し、前記監視制御情報を合波および分波する合分波部と、を備えたことを要件とする。
【発明の効果】
【００１２】
一つの実施形態によれば、装置内外の障害発生時においても監視制御情報を用いた監視制御を継続できるという効果を奏する。
【図面の簡単な説明】
【００１３】
【図１】図１は、一般的なＷＤＭ光伝送システムの構成例を示す図である。
【図２】図２は、既存の技術によるネットワークの監視制御を説明する図である。（その１）
【図３】図３は、既存の技術によるネットワークの監視制御を説明する図である。（その２）
【図４】図４は、既存の光伝送装置におけるＬ０装置監視制御部の監視機能の停止後に監視制御網の補完が機能しない状態を示す図である。
【図５】図５は、実施の形態１にかかる光伝送装置を含む光伝送システムの構成例を示す図である。
【図６】図６は、実施の形態１にかかる光伝送装置の冗長化された監視制御部のハードウェア構成例を示す図である。
【図７】図７は、実施の形態１にかかる光伝送装置が用いるＬＣＮ信号パケットの監視制御情報例を示す図表である。
【図８】図８は、実施の形態１にかかる光伝送装置の第二の監視制御部が行う監視制御例を示すフローチャートである。
【図９】図９は、実施の形態１にかかる光伝送装置の第一の監視制御部が行う監視制御例を示すフローチャートである。
【図１０】図１０は、実施の形態１にかかる光伝送装置の冗長化した監視制御の切替処理を示すシーケンス図である。
【図１１Ａ】図１１Ａは、実施の形態１にかかる光伝送装置を用いた光伝送システムの複数障害発生時における監視制御の継続状態を説明する図である。（その１）
【図１１Ｂ】図１１Ｂは、実施の形態１にかかる光伝送装置を用いた光伝送システムの複数障害発生時における監視制御の継続状態を説明する図である。（その２）
【図１２】図１２は、実施の形態２にかかる光伝送装置の構成例を示す図である。
【図１３】図１３は、実施の形態２にかかる光伝送装置の冗長化された監視制御部のハードウェア構成例を示す図である。
【図１４】図１４は、実施の形態２にかかる光伝送装置の第一の監視制御部が行う監視制御例を示すフローチャートである。
【図１５】図１５は、実施の形態２にかかる光伝送装置の第二の監視制御部が行う監視制御例を示すフローチャートである。
【図１６】図１６は、実施の形態２にかかる光伝送装置の冗長化した監視制御の切替処理を示すシーケンス図である。
【図１７】図１７は、実施の形態２の他の光伝送装置の構成例を示す図である。
【発明を実施するための形態】
【００１４】
はじめに、従来の光伝送システムの機能および課題について説明しておく。ＷＤＭ伝送を適用したＷＤＭ光伝送装置は、上述したＯＡＤＭ機能を有し、ＯＡＤＭ機能には波長選択スイッチ（ＷＳＳ：Ｗａｖｅｌｅｎｇｔｈ  Ｓｅｌｅｃｔｉｖｅ  Ｓｗｉｔｃｈ）が用いられる。ＷＳＳにより、波長毎にＷＤＭ信号のパスを任意に設定することが可能となる。ＯＡＤＭ機能と光伝送路の接続箇所においては、ＯＡＤＭ機能で生じるＷＤＭ信号の光損失を補うため、光伝送路に出力する、または光伝送路から入力されたＷＤＭ信号を適切な光レベルに増幅する光増幅（ＡＭＰ）機能を備える。
【００１５】
また、上述したＯＸＣを行うＣＤ機能には、任意の波長のＷＤＭ信号を所望の方路に入出力可能な合分波器またはＷＳＳが適用されることにより、ＯＡＤＭ機能と接続する任意の波長のＷＤＭ信号を、接続替えすることなく任意の方向にパス設定可能となる。
【００１６】
図１は、一般的なＷＤＭ光伝送システムの構成例を示す図である。図１に示す光伝送システムでは、ネットワーク管理装置（ＮＭＳ）１は、ＯＳＣを用いて複数の光伝送装置１０〜８０をネットワーク監視する。
【００１７】
光伝送装置１０は、下り方向の光伝送路１２と上り方向の光伝送路２１を介して隣接する遠隔拠点に配置された光伝送装置２０と接続される。光伝送装置２０は、光伝送装置１０と別方路にある光伝送装置３０と下り方向と上り方向の光伝送路２３、３２を介して接続することにより、光伝送装置１０から光伝送装置３０に至るＷＤＭ信号回線の光伝送システムが構成される。光伝送路による光伝送装置間の接続が、光伝送装置１０から光伝送装置８０に至るまで同様に構成されることにより、長距離光伝送システムのネットワークが構築される。
【００１８】
図１の光伝送システムでは、ＷＤＭ信号のパス設定および光伝送路障害時に新たな正常パスを確立するために、ＮＭＳ１を用いて、光伝送システムの回線監視およびパス設定制御を行い、遠隔拠点に配置された光伝送装置および光伝送システムのネットワーク回線をＯＳＣ機能を用いて監視する。ＮＭＳ１は、光伝送システムのゲートウェイ装置である光伝送装置１０と接続されて、光伝送装置１０に接続される光伝送システムの障害状況を収集するとともに、光伝送システムに対しＷＤＭ信号のパス切替等のパス設定制御を行う。
【００１９】
ＮＭＳ１は、ゲートウェイとなる光伝送装置１０から遠隔拠点に配置された光伝送装置２０〜８０および光伝送システムのネットワーク回線を監視する。この際、ＮＭＳ１は、ＷＤＭ信号回線と同じ光伝送路（インバンド）を介して光伝送装置間で監視制御情報を送受信するＯＳＣ信号と、各光伝送装置における監視制御を司る監視制御機能とを用いてＷＤＭ信号回線の監視を行う。
【００２０】
なお、波長多重方式の光伝送システムにおいて、ＷＤＭ信号とＯＳＣ信号が各々異なる光伝送路を使用するアウトバンドの監視制御方式がある。アウトバンドの方式では、ＷＤＭ信号断の障害が発生してＯＳＣ信号が正常な場合、ＡＭＰ機能の出力と光伝送路の接続が外れたことによるＷＤＭ信号断か、ＷＤＭ信号が０波で接続が正常なのかが分からないので、ＷＤＭ信号回線の監視の信頼性が損なわれる。また、多波長のＷＤＭ信号がＡＭＰ機能により光増幅されて光伝送路に高い光レベルが出力されるので、ＡＭＰ機能の出力と光伝送路の接続が外れた場合に高い光レベルが出力されないよう、安全のため自動パワーシャットダウン（ＡＰＳＤ）制御機能を備えるため、ＷＤＭ信号回線の監視に高い信頼性が要求される。上記の理由から、波長多重方式の光伝送システムでは、ＷＤＭ信号とＯＳＣ信号に同じ光伝送路を使用するインバンドによる監視方式が用いられる。
【００２１】
但し、光伝送システムにおけるインバンドによる監視方式では、光伝送路の障害が監視制御網にも影響を与える。このため、光伝送装置１０〜光伝送装置４０に示すようなリング構成のネットワークにより、監視制御経路を冗長化し、ネットワークを高信頼化する構成が採られている。監視制御経路の冗長により、ソフトウェア更新や障害およびその復旧に伴う光伝送装置の監視制御機能が停止されている場合においても、停止した監視制御経路を迂回して、ネットワークの監視制御が可能となる。
【００２２】
この監視制御機能の障害は、例えば例外処理によるソフトウェア再起動や、ソフトエラー障害を含む。例えば、上記のソフトウェア更新または障害のため、図１の光伝送システムの光伝送装置２０の監視制御機能が停止しても、光伝送装置４０を経由して光伝送装置３０およびその遠隔にある光伝送装置５０から光伝送装置８０の監視制御が可能となる。
【００２３】
光伝送システムが、光伝送装置３０およびその遠隔にある光伝送装置５０〜光伝送装置８０のように、リング構成のネットワークでない場合、ネットワークの監視制御経路を冗長化できない。上述の非リング構成のネットワークにおいては、例えば光伝送装置３０の監視制御機能が停止すると、ＮＭＳ１から光伝送装置３０より遠隔にある光伝送装置５０〜光伝送装置８０および各光伝送装置間の光伝送路の監視制御が行えなくなる。
【００２４】
図２，図３は、それぞれ既存の技術によるネットワークの監視制御を説明する図である。主に、一部の光伝送装置２０，５０の内部構成を示している。例えば、上記特許文献１に開示された技術によれば、各光伝送装置１０〜８０は、それぞれＷＤＭ信号レイヤ（Ｌ０）の光伝送装置（Ｌ０装置）２００と、Ｌ０と異なるレイヤ（Ｌｘ，ｘ＝１，２，…）の通信装置（Ｌｘ装置）２０１とのマルチレイヤ装置間通信手段２０２を備える。Ｌｘ装置の監視制御信号を用いることにより、Ｌ０ネットワークの監視制御網とＬｘネットワークの監視制御網を互いに補完し監視する。Ｌ０装置２００は、インフラ等の基幹系の装置であり高速通信を行い、Ｌｘ装置２０１は、ユーザ側の装置であり低速〜中速の通信を行う。
【００２５】
Ｌ０装置２００は、Ｌ０装置監視制御部２１０と、ＣＤ機能部２１１と、複数のＯＡＤＭ機能部２１２およびＯＳＣ部２１３を備える。Ｌｘ装置２０１は、Ｌｘ装置監視制御部２２１と、トランスポンダ部２２２と、クライアント信号送受信部２２３と、ＸＣ部２２４を備える。
【００２６】
この従来技術では、光伝送装置５０のＬｘネットワークで監視制御網の障害（図中箇所Ｘ）が生じた時に、障害が発生していないＬ０ネットワークの監視制御網とマルチレイヤ装置間通信手段２０２を用いることにより、Ｌｘネットワークの障害箇所Ｘの情報をＬ０の監視制御情報に付与してＮＭＳ１と通信する（図中実線の経路）。これにより、ＮＭＳ１は、Ｌｘネットワークの障害箇所Ｘを特定し、障害箇所Ｘを迂回したパス切替を実施し、信頼性と保守性を有する監視制御ネットワークを構築できる。
【００２７】
図３には、図２に示した光伝送装置３０のＬ０装置監視制御部２１０の監視機能が停止した時の監視制御網の補完状態を示す。図３に示すように、光伝送装置３０のＬ０装置監視制御部２１０が故障等によりＬ０の監視機能が停止してもＬｘネットワークの監視制御網によりＬ０ネットワークの監視制御網を補完できるので、光伝送装置５０より遠隔にある光伝送装置との監視制御情報の送受信が可能となる。
【００２８】
この際、光伝送装置３０のＬ０装置監視制御部２１０を経由する図中点線の経路が不通となる。しかし、図中実線に示す経路により、光伝送装置３０内では、Ｌ０装置監視制御部２１０を経由せず、ＯＡＤＭ機能部２１２間を接続する。また、光伝送装置５０内では、ＯＡＤＭ機能部２１２〜ＣＤ機能部２１１〜マルチレイヤ装置間通信手段２０２〜Ｌｘ装置２０１のトランスポンダ部２２２〜マルチレイヤ装置間通信手段２０２〜Ｌｘ装置監視制御部２２１〜Ｌ０装置２００のＬ０装置監視制御部２１０に接続する。この際、ＯＳＣは用いず、ＬｘのＷＤＭ信号（主信号）に監視制御情報を載せて送信する。
【００２９】
このように、あるレイヤのネットワークの監視制御網が一部不通となった障害が生じた場合に、障害が発生したレイヤの監視制御情報を、別のレイヤの監視制御網を用いてＮＭＳ１と送受信することにより、速やかな保守操作が可能となり、監視制御ネットワークの高信頼化が図れる。
【００３０】
図４は、既存の光伝送装置におけるＬ０装置監視制御部の監視機能の停止後に監視制御網の補完が機能しない状態を示す図である。Ｌ０ネットワークの監視制御網のうち、光伝送装置５０のＬ０装置監視制御部２１０が停止している時に、さらに、光伝送装置５０より遠隔拠点で設定されたＷＤＭ信号パスに障害が生じたとする（箇所Ｘ）。この場合、Ｌ０ネットワークとＬｘネットワークの双方の監視制御網が遮断される（実線の経路が接続され活きているが、点線の経路は不通である）。これにより、ＮＭＳ１は、光伝送装置５０より下流の監視制御網から障害情報を収集できなくなり、ＷＤＭ信号パスの障害箇所を特定することができない。この際、光伝送装置５０は、リングネットワーク上に位置しておらず、他の光伝送装置へのパス切り替えや迂回による経路切り替えもできない。
【００３１】
上記障害事例について、Ｌ０ネットワークの監視停止は、例えば、Ｌ０装置監視制御部２１０のソフトウェアアップデートに伴うリセット時や、ソフトウェアエラーや、月一回等のメモリリセットによる再起動時に生じる。
【００３２】
図４の障害発生時には、ＮＭＳ１と光伝送装置５０のＬ０およびＬｘの監視制御網が遮断されるため、障害復旧のための迂回したＷＤＭ信号パスの切替制御ができずに長い時間ネットワーク障害が継続してしまう。また、障害発生箇所の特定ができないため、障害復旧に多大な労力を費やし、ネットワーク保守上課題が生じた。
【００３３】
上述したが、このような従来技術（特許文献１）の構成では、あるレイヤの監視制御情報に異なるレイヤの監視制御情報を加えるためのマルチレイヤの装置間通信手段を備えた監視制御網である。このため、異なるレイヤ装置間に跨る制御インタフェースや、各レイヤの監視制御情報のフレームフォーマットが複雑となる課題がある。さらに、異なるレイヤの装置が同じ拠点に格納されていない光伝送ネットワークでは、補完する監視制御網が構築できないため、異なるレイヤの装置を同じ拠点に設置する大規模かつ高額なネットワークとなる課題を有していた。
【００３４】
（実施の形態１）
図５は、実施の形態１にかかる光伝送装置を含む光伝送システムの構成例を示す図である。図５に示す本発明の光伝送システムは、図１同様のネットワーク構成を有し、光伝送装置５００は、図１の光伝送装置５０に相当し、ＮＭＳ１（図１参照）からみて光伝送装置３０よりも遠隔に配置され、リングネットワークには含まれていない。図５では、光伝送装置５００のみ内部構成を詳細に示しているが、他の光伝送装置３０，６０についても光伝送装置５００同様の内部構成を有する。
【００３５】
光伝送装置５００は、ＷＤＭ信号（主信号）の光伝送ネットワークへのＡＤＤおよびネットワークからのＤＲＯＰ機能を備える。そして、光伝送装置５００は、伝送機器であるＯＡＤＭ機能部５１１，５１２のほか、波長毎のＷＤＭ信号として収容されたトランスポンダ部をＯＡＤＭ機能部５１１，５１２と光クロスコネクト接続するＣＤ機能部５５０，５６０を含む。図５では、ＯＡＤＭ機能部５１２とＣＤ機能部５６０は一部の機能の記載を省略しているが、ＯＡＤＭ機能部５１１，５１２は同じ内部構成を有し、ＣＤ機能部５５０，５６０も同じ内部構成を有する。
【００３６】
ＯＡＤＭ機能部５１１は、送信ＷＳＳ５０１と、ポスト型アンプ（ＡＭＰ）５０２と、プリ型ＡＭＰ５０３と、受信ＷＳＳ５０４と、第一のＯＳＣ送受信部５０５と、第一のＬＣＮ送受信部５０６と、第一の監視制御部５０７と、を含む。ＬＣＮは、Ｌｏｃａｌ  Ｃｏｍｍｕｎｉｃａｔｉｏｎ  Ｎｅｔｗｏｒｋの略である。
【００３７】
実施の形態１では、光伝送装置５００内の各機能部（ＯＡＤＭ機能部５１１，５１２と、ＣＤ機能部５５０，５６０）が備えるＬＣＮ送受信部５０６，５５４が監視信号送受信部として機能し、ＬＣＮを用いて装置内で監視信号を送受信する。ＯＡＤＭ機能部５１１に第一の監視制御部５０７を設け、ＣＤ機能部５５０に第二の監視制御部５５５を設け、上流側の光伝送装置３０と監視制御情報の送受信を行う。また、ＯＡＤＭ機能部５１２に第一の監視制御部５０７を設け、ＣＤ機能部５６０に第二の監視制御部５５５を設け、下流側の光伝送装置６０と監視制御情報の送受信を行う。
【００３８】
送信ＷＳＳ５０１は、他のＯＡＤＭ機能部５１２またはＣＤ機能部５５０の多方路から出力されたＷＤＭ信号を波長多重してポスト型ＡＭＰ５０２に出力する。ポスト型ＡＭＰ５０２は、送信ＷＳＳ５０１で波長多重されたＷＤＭ信号を一括して光増幅して光伝送路に出力する。プリ型ＡＭＰ５０３は、光伝送路から入力したＷＤＭ信号を一括して光増幅する。受信ＷＳＳ５０４は、プリ型ＡＭＰ５０３で光増幅されたＷＤＭ信号を多方路に配分する。
【００３９】
第一のＯＳＣ送受信部５０５は、光伝送路を介して隣接する光伝送装置３０と監視制御信号を送受信する装置間監視信号送受信部として機能する。第一のＬＣＮ送受信部５０６は、光伝送装置５００内の各機能部とＬＣＮ信号により監視制御情報を送受信する。第一の監視制御部５０７は、ＬＣＮ信号による光伝送装置５００の監視制御情報と、ＯＳＣ信号による光伝送装置３０間の監視制御情報の入出力制御を司る。
【００４０】
ＯＡＤＭ機能部５１１は、上り方向の光伝送路５５と下り方向の光伝送路３５を介して光伝送装置３０と接続される。
【００４１】
ＯＡＤＭ機能部５１２は、上述のＯＡＤＭ機能部５１１と同様の構成を備え、それぞれ、光伝送路を介して光伝送装置６０と接続される。
【００４２】
ＣＤ機能部５５０は、ＣＤ合波部５５１と、ＣＤ分波部５５２と、第二のＯＳＣ送受信部５５３と、第二のＬＣＮ送受信部５５４と、第二の監視制御部５５５と、を含む。
【００４３】
ＣＤ合波部５５１は、ＣＤ機能部５５０のクライアント側に収容されるトランスポンダ部５５０−１〜５５０−ｎから出力された指定波長のＷＤＭ信号を波長多重して所望の方路のＯＡＤＭ機能部５１１，５１２に出力する。ＣＤ分波部５５２は、ＯＡＤＭ機能部５１１，５１２から出力されたＷＤＭ信号の指定波長を収容するトランスポンダ部５５０−１〜５５０−ｎに出力する。
【００４４】
第二のＯＳＣ送受信部５５３は、光伝送路を介して隣接する光伝送装置３０と監視制御信号を送受信する。第二のＬＣＮ送受信部５５４は、光伝送装置５００内の各機能部とＬＣＮ信号により監視制御情報を送受信する。第二の監視制御部５５５は、ＬＣＮ信号による光伝送装置５００の監視制御情報と、ＯＳＣ信号による光伝送装置間の監視制御情報の入出力を司る。
【００４５】
図５では省略するが、ＣＤ合波部５５１およびＣＤ分波部５５２には、光合分波器のほか、トランスポンダ部５５０−１〜５５０−ｎとＯＡＤＭ機能部５１１，５１２の入出力方路を任意に指示可能なＷＳＳまたはマルチポート光スイッチを備える。また、ＣＤ機能部の光損失を補うためにＷＤＭ信号の光レベルを増幅する光増幅器を備える。ＣＤ機能部５６０は、上述のＣＤ機能部５５０と同様の構成を備え、クライアント側にトランスポンダ部５６０−１〜５６０−ｎが収容される。
【００４６】
この光伝送装置５００は、第一のＯＳＣ送受信部５０５および第二のＯＳＣ送受信部５５３から出力されるＯＳＣ信号を、ＷＤＭ信号と合波して隣接する光伝送装置３０に送出するＷＤＭカプラ５９１を備える。また、隣接する光伝送装置３０から受信するＯＳＣ信号をＷＤＭ信号と分波して第一のＯＳＣ送受信部５０５と第二のＯＳＣ送受信部５５３に出力するＷＤＭスプリッタ５９２を備える。光伝送装置５００と別方向に隣接する光伝送装置６０と送受信するＯＳＣ信号についても、同様にＷＤＭカプラ５９３およびＷＤＭスプリッタ５９４を備える。
【００４７】
さらに、この光伝送装置５００は、ＯＡＤＭ機能部５１１、５１２およびＣＤ機能部５５０，５６０は、ＬＣＮ信号によるリング構成（図中一点鎖線）のローカル監視制御網を構成している。そして、光伝送装置５００が収容された拠点内の監視制御情報と、下流に対向する光伝送装置６０とのＯＳＣ信号による監視制御ネットワークの監視制御情報を、上流に対向する光伝送装置３０とのＯＳＣ信号を介してＮＭＳ１と送受信する。
【００４８】
光伝送装置５００の上流に対向して配置され、光伝送路を介して接続する光伝送装置３０は、光伝送装置５００と監視制御ネットワークの監視制御情報を送受信するＯＳＣ送受信部５０５と、ＯＳＣ合波部３９１とＯＳＣ分波部３９２を備える。これにより、光伝送装置３０は、光伝送装置５００のＯＡＤＭ機能部５１１またはＣＤ機能部５５０とＯＳＣ送受信可能な接続形態となっている。
【００４９】
光伝送装置３０は、光伝送装置５００と同様に、ＯＡＤＭ機能部５１２に第一のＯＳＣ送受信部５０５を備えるほか、ＣＤ機能部５６０に第二のＯＳＣ送受信部５５３を備えてもよい。図５に示す光伝送装置３０の図では省略しているが、光伝送装置３０は、光伝送装置５００と別方向で対向する光伝送装置２０および光伝送装置４０（図１参照）に対し、同様なＯＳＣ送受信部とＯＡＤＭ機能部を備えている。これにより、光伝送装置３０は、光伝送装置５００と同様に同じ拠点に収容される光伝送装置内でＬＣＮ信号によるリング構成のローカル監視制御網を構成している。
【００５０】
光伝送装置５００の下流に対向して配置され、光伝送路を介して接続する光伝送装置６０も同様に、光伝送装置５００と監視制御ネットワークの監視制御情報を送受信するＯＳＣ送受信部５０５と、ＯＳＣ合波部６９１とＯＳＣ分波部６９２と、を備える。これにより、光伝送装置６０は、光伝送装置５００のＯＡＤＭ機能部５１２またはＣＤ機能部５６０とＯＳＣ送受信可能な接続形態となっている。
【００５１】
光伝送装置６０は、光伝送装置５００と同様に、ＯＡＤＭ機能部５１１に第一のＯＳＣ送受信部５０５を備えるほか、ＣＤ機能部６５０に第二のＯＳＣ送受信部５５３を備えてもよい。図５に示す光伝送装置６０の図では省略しているが、光伝送装置６０は、光伝送装置５００と別方向で対向する光伝送装置７０および光伝送装置８０（図１参照）に対し、同様なＯＳＣ送受信部とＯＡＤＭ機能部を備えている。これにより、光伝送装置６０は、光伝送装置５００と同様に同じ拠点に収容される光伝送装置内でＬＣＮ信号のリング構成のローカルネットワークを構成している。
【００５２】
図６は、実施の形態１にかかる光伝送装置の冗長化された監視制御部のハードウェア構成例を示す図である。第二の監視制御部５５５は、第一の監視制御部５０７の予備用として設けられ、第一の監視制御部５０７の監視制御が停止している期間中、動作する。
【００５３】
以下、図５に示す光伝送装置５００のＯＡＤＭ機能部５１１に備える第一のＯＳＣ送受信部５０５と、ＬＣＮ送受信部５０６と、監視制御情報を司る第一の監視制御部５０７の詳細を説明する。また、ＣＤ機能部５５０に備える第二のＯＳＣ送受信部５５３と、ＬＣＮ送受信部５５４と、監視制御情報を司る第二の監視制御部５５５の詳細を説明する。
【００５４】
図６に示す第一の監視制御部５０７の各部について説明する。第一の監視制御部５０７は、ＣＰＵ（Ｃｅｎｔｒａｌ  Ｐｒｏｃｅｓｓｉｎｇ  Ｕｎｉｔ）５２１と、プログラム可能な半導体デバイス（ＰＬＤ：Ｐｒｏｇｒａｍｍａｂｌｅ  Ｌｏｇｉｃ  Ｄｅｖｉｃｅ）５２２を備える。ＣＰＵ５２１は、図示しないＲＯＭ等に格納されたプログラムを実行し、この際、ＲＡＭ等を作業領域に使用する。
【００５５】
ＣＰＵ５２１は、光伝送システムの監視制御ネットワークに適用するＯＳＣ信号制御フレームを第一のＯＳＣ送受信部５０５を介して送受信する。第一のＯＳＣ信号処理部５２１ａと、第一のＬＣＮ信号処理部５２１ｂと、第一のパス管理部５２１ｃと、第一の障害監視部５２１ｄと、第一の構成管理部５２１ｅと、判定部５２１ｆと、ウォッチドッグ出力部５２１ｇと、を含む。
【００５６】
第一のＯＳＣ信号処理部５２１ａは、対向する光伝送装置３０からの監視制御情報を処理する。第一のＬＣＮ信号処理部５２１ｂは、光伝送装置内の監視制御ネットワークに適用するＬＣＮ信号制御フレームをＬＣＮ送受信部５０６を介して送受信し、同じ拠点に配備された光伝送機器からの監視制御情報を処理する。第一のパス管理部５２１ｃは、光伝送装置５００におけるＷＤＭ信号のパス経路を管理する。第一の障害監視部５２１ｄは、光伝送装置５００内で発生する警報情報を監視する。
【００５７】
第一の構成管理部５２１ｅは、光伝送装置５００内のＯＡＤＭ機能部およびＣＤ機能部の構成情報とＬＣＮによる拠点内監視ネットワーク構成情報を管理する。判定部５２１ｆは、ＣＰＵ５２１の動作状態が正常であるか否かを判定する。この際、判定部５２１ｆは、ウォッチドッグ（ＷＤ）出力部５２１ｇを用いてＰＬＤ５２２にＣＰＵ５２１の正常動作を示す信号を定期的に送信する。
【００５８】
ＰＬＤ５２２は、第一のＯＳＣ制御フレーム処理部５２２ａと、第一のＬＣＮ制御フレーム処理部５２２ｂと、ウォッチドッグ（ＷＤ）監視部５２２ｃと、第一のＯＳＣ光制御部５２２ｄと、を含む。
【００５９】
第一のＯＳＣ制御フレーム処理部５２２ａは、第一のＯＳＣ送受信部５０５を介してＯＳＣ信号制御フレームの送受信を行う。第一のＬＣＮ制御フレーム処理部５２２ｂは、第一のＬＣＮ送受信部５０６を介してＬＣＮ信号制御フレームの送受信を行う。ウォッチドッグ監視部５２２ｃは、ウォッチドッグ（ＷＤ）出力部５２１ｇから出力される信号によりＣＰＵの動作状態監視を行う。第一のＯＳＣ光制御部５２２ｄは、第一のＯＳＣ光信号の光出力制御を行う。
【００６０】
つぎに、図６に示す第二の監視制御部５５５の各部について説明する。第二の監視制御部５５５は、第一の監視制御部５０７と同様にＣＰＵ５２３とＰＬＤ５２４を備える。
【００６１】
第二の監視制御部５５５のＣＰＵ５２３は、第二のＯＳＣ信号処理部５２３ａと、判定部５２３ｂと、第二のＬＣＮ信号処理部５２３ｃと、第二のパス管理部５２３ｄと、第二の障害監視部５２３ｅと、第二の構成管理部５２３ｆと、を含む。
【００６２】
第二のＯＳＣ信号処理部５２３ａは、第二のＯＳＣ送受信部５５３を介して対向する光伝送装置からの監視制御情報を処理する。判定部５２３ｂは、第一の監視制御部５０７の監視動作の停止の判断を行い、停止時に第二の監視制御部５５５を起動させる。第二のＬＣＮ信号処理部５２３ｃは、第二のＬＣＮ送受信部５５４を介して同じ拠点に配備された光伝送機器からの監視制御情報を処理する。第二のパス管理部５２３ｄは、光伝送装置５００におけるＷＤＭ信号のパス経路を管理する。第二の障害監視部５２３ｅは、光伝送装置５００内で発生する警報情報を監視する。第二の構成管理部５２３ｆは、光伝送装置５００内のＯＡＤＭ機能部５１１およびＣＤ機能部５５０の構成情報と、ＬＣＮによる拠点内監視ネットワークを管理する。
【００６３】
第二の監視制御部５０７のＰＬＤ５２４は、第二のＯＳＣ制御フレーム処理部５２４ａと、第二のＬＣＮ制御フレーム処理部５２４ｂと、第二のＯＳＣ光制御部５２４ｃと、を含む。
【００６４】
第二のＯＳＣ制御フレーム処理部５２４ａは、第二のＯＳＣ送受信部５５３を介してＯＳＣ信号制御フレームの送受信を行う。第二のＬＣＮ制御フレーム処理部５２４ｂは、第二のＬＣＮ送受信部５５４を介してＬＣＮ信号制御フレームの送受信を行う。第二のＯＳＣ光制御部５２４ｃは、第二のＯＳＣ光信号の光出力制御を行う。
【００６５】
図６に示した各構成部の動作を説明する。ＣＰＵ５２１の第一のＯＳＣ信号処理部５２１ａは、第一のＯＳＣ送受信部５０５が受信するＷＤＭ信号パス情報および光伝送装置５００の装置構成情報と拠点内監視ネットワーク情報を含むＯＳＣ信号を監視する。また、第一のＯＳＣ信号処理部５２１ａは、第一の障害監視部５２１ｄが監視する光伝送装置５００の警報情報を、第一のＯＳＣ制御フレーム処理部５２２ａに出力し、対向する光伝送装置３０に送信する。
【００６６】
第一のＬＣＮ信号処理部５２１ｂは、光伝送装置５００と同じ拠点に配備された他の伝送機器が検出した警報情報を受信する。また、第一のＬＣＮ信号処理部５２１ｂは、第一のパス管理部５２１ｃが所有するＷＤＭ信号のパス経路情報を、第一のＬＣＮ制御フレーム処理部５２２ｂに出力し、ＬＣＮ送受信部５０６と接続する他の伝送機器に送信する。他の伝送機器とは、図５に示すＬＣＮ送受信部５０６が設けられたＯＡＤＭ機能部５１１からみた他の伝送機器（ＯＡＤＭ機能部５１２、ＣＤ機能部５５０，５６０）である。
【００６７】
第一のパス管理部５２１ｃは、ＮＭＳ１から設定されたＷＤＭ信号のパス経路情報を、光伝送装置５００と同じ拠点に配備された他の伝送機器に第一のＬＣＮ信号処理部５２１ｂを介して出力する。また、第一のパス管理部５２１ｃは、自ＯＡＤＭ機能部５１１のＷＤＭ信号パスをＮＭＳ１からの設定に従って開通制御を行う。
【００６８】
第一の障害監視部５２１ｄは、自ＯＡＤＭ機能部５１１の警報情報、および第一のＬＣＮ信号処理部５２１ｂが受信する光伝送装置５００と同じ拠点に配備された他の伝送機器からの監視制御情報を収集し、第一のＯＳＣ信号処理部５２１ａに出力する。第一の構成管理部５２１ｅは、ＮＭＳ１からＯＳＣ信号を介して設定される光伝送装置５００の伝送機器の構成情報およびＬＣＮによる拠点内監視制御ネットワーク構成情報の管理と、光伝送装置５００に収容される伝送機器とのＬＣＮによる送受信情報の管理を行う。第一の構成管理部５２１ｅが管理する伝送機器の構成情報には、第二のＯＳＣ送受信部５５３と、第二の監視制御部５５５を備える拠点内の伝送機器の構成情報が含まれる。
【００６９】
ＰＬＤ５２２の第一のＯＳＣ制御フレーム処理部５２２ａは、第一のＯＳＣ送受信部５０５が受信するＯＳＣ信号を第一のＯＳＣ信号処理部５２１ａに出力する。また、第一のＯＳＣ制御フレーム処理部５２２ａは、第一のＯＳＣ信号処理部５２１ａが出力する監視制御情報をＯＳＣ信号として、対向する光伝送装置３０に送信する。
【００７０】
第一のＬＣＮ制御フレーム処理部５２２ｂは、第一のＬＣＮ送受信部５０６が受信するＬＣＮ信号を第一のＬＣＮ信号処理部５２１ｂに出力する。また、第一のＬＣＮ制御フレーム処理部５２２ｂは、第一のＬＣＮ信号処理部５２１ｂが出力する監視制御情報をＬＣＮ信号として、ＬＣＮ送受信部が接続する他の伝送機器に送信する。さらに、第一のＬＣＮ制御フレーム処理部５２２ｂは、ウォッチドッグ監視部５２２ｃが監視する第一の監視制御部５０７のＣＰＵの動作状態と、第一のＯＳＣの発光状態を、ＬＣＮ信号として他の伝送機器に送信する。
【００７１】
第一のＯＳＣ光制御部５２２ｄは、ウォッチドッグ監視部５２２ｃが監視する第一の監視制御部５０７のＣＰＵの動作状態、および第二の監視制御部５５５から受信するＬＣＮ信号に基づいて第一のＯＳＣ光の発光制御を行う。
【００７２】
また、第二の監視制御部５５５は、第一の監視制御部５０７が備える各々の処理に係わる第一の各処理部または管理部と同じ動作を行う。すなわち、第二のＯＳＣ信号処理部５２３ａ、第二のＬＣＮ信号処理部５２３ｃ、第二の構成管理部５２３ｆ、第二のＯＳＣ制御フレーム処理部５２４ａ、第二のＬＣＮ制御フレーム処理部５２４ｂは、第一の監視制御部５０７の第一の各処理部と同じ動作をする。
【００７３】
第二のパス管理部５２３ｄは、第一のＬＣＮ信号処理部５２１ｂから出力されたＷＤＭ信号のパス経路情報を格納するとともに、自ＣＤ機能部のＷＤＭ信号パスをＮＭＳ１からの設定に従って開通制御を行う。第二の障害監視部５２３ｅは、自ＣＤ機能部の警報情報、および第二のＬＣＮ信号処理部５２３ｃが受信する光伝送装置５００と同じ拠点に配備された他の伝送機器からの監視制御情報を収集し、第二のＯＳＣ信号処理部５２３ａに出力する。第二のＯＳＣ光制御部５２４ｃは、第一の監視制御部５０７から受信するＬＣＮ信号に基づいて第二のＯＳＣ光の発光制御を行う。
【００７４】
図６に示す構成例では、ＣＤ機能部５５０が備える第二の監視制御部５５５が、ＯＡＤＭ機能部５１１が備える第一の監視制御部５０７のＣＰＵ５２１による監視制御機能が停止したことを、第二のＬＣＮ送受信部５５４を介したＬＣＮの監視制御信号により検出する。これにより、第二の監視制御部５５５は、第二のＯＳＣ送受信部５５３のＯＳＣ信号を用いて、光伝送装置５００から下流の光伝送システムの監視制御情報をＮＭＳ１と送受信し、第一の監視制御部５０７の監視制御機能の停止期間中、予備の監視制御機能を実行する。
【００７５】
上述した第一の監視制御部５０７のＣＰＵ５２１のソフトウェアアップデート等による監視制御機能の停止中には、予備の第２の監視制御部５５５が起動する。これにより、光伝送装置５００は、第２の監視制御部５５５の制御に基づき、トランスポンダ部５５０−１〜５５０−ｎから入力される信号をＣＤ機能部５５０〜ＯＡＤＭ機能部５１１の送信ＷＳＳ５０１を介して上流に伝送できる。同様に、ＯＡＤＭ機能部５１２の送信ＷＳＳを介して下流に伝送できる。また、上流からのＷＤＭ信号をＯＡＤＭ機能部５１１の受信ＷＳＳ５０４〜ＣＤ分波部５５２を介してトランスポンダ部５５０−１〜５５０−ｎに出力できる。同様に、下流からのＷＤＭ信号をＯＡＤＭ機能部５１２の受信ＷＳＳ〜ＣＤ機能部５６０のトランスポンダ部５６０−１〜５６０−ｎに出力できる。
【００７６】
図７は、実施の形態１にかかる光伝送装置が用いるＬＣＮ信号パケットの監視制御情報例を示す図表である。第一の監視制御部５０７と、第二の監視制御部５５５との間で送受信するＬＣＮフレーム信号パケットの監視制御情報７００の例を示す。
【００７７】
ＬＣＮ信号の送受信情報には、監視制御情報を発信する伝送機器のＩＤ１、監視制御情報の受信先となる伝送機器のＩＤ２と、光伝送装置のＷＤＭ信号パス経路情報と、光伝送装置の警報情報と、を含む。さらに、光伝送装置の構成情報およびＬＣＮによるネットワーク構成情報のほかに、第一のＯＳＣ信号を備える伝送機器の監視制御部のＣＰＵ動作状態と第一および第二のＯＳＣの発光状態を含む監視制御部のアライブ（ＡＬＩＶＥ）情報が含まれる。
【００７８】
つぎに、第一の監視制御部５０７のＣＰＵ動作状態に応じた、第二の監視制御部５５５の監視制御機能の動作を説明する。
【００７９】
図８は、実施の形態１にかかる光伝送装置の第二の監視制御部が行う監視制御例を示すフローチャートである。図６に示した監視制御の冗長構成例において、ＬＣＮフレーム信号に含まれる第一の監視制御部５０７のアライブ情報に基づいた、第二の監視制御部５５５（ＣＰＵ５２３の判定部５２３ｂ）が行う監視制御処理の一例を示す。
【００８０】
第二の監視制御部５５５（ＣＰＵ５２３）は、第一の監視制御部５０７から受信するアライブ情報から、第一の監視制御部５０７の正常動作と第一のＯＳＣ信号の発光状態を判定する（ステップＳ８０１）。第一の監視制御部５０７のＣＰＵ５２１が正常動作かつＯＳＣ発光状態の場合（ステップＳ８０１：Ｙｅｓ）、第二の監視制御部５５５は、第二のＯＳＣを発光停止状態とする（ステップＳ８０２）。これにより、第一のＯＳＣと第二のＯＳＣが共に発光することにより、対向する光伝送装置３０に互いのＯＳＣ信号フレームが混じったＯＳＣ信号となって意図しないＯＳＣ監視制御を防ぐ。
【００８１】
つぎに、第二の監視制御部５５５は、第一の監視制御部５０７から受信したＬＣＮ信号の情報を有効とみなし、第二のパス管理部５２３ｄ、第二の障害監視部５２３ｅ、および第二の構成管理部５２３ｆにて管理される情報を更新する（ステップＳ８０３）。そして、第二の監視制御部５５５は、第二のＯＳＣの発光状態を、ＬＣＮ信号として第一の監視制御部５０７に送信する（ステップＳ８０４）。
【００８２】
一方、ステップＳ８０１において、第一の監視制御部５０７のＣＰＵ５２１のソフトウェア更新や障害およびその復旧のためのＣＰＵのリセットに伴い、第一の監視制御部５０７のＣＰＵが停止している、または第一のＯＳＣの発光停止状態となったとする。この場合（ステップＳ８０１：Ｎｏ）、第二の監視制御部５５５は、第一の監視制御部５０７から受信するＬＣＮ信号のうち、第一の監視制御部５０７のＣＰＵが生成するパス管理、障害監視、構成管理に係わる情報を無効とみなして破棄する（ステップＳ８０５）。
【００８３】
第一の監視制御部５０７の停止により、ＮＭＳ１から光伝送装置５００へのＯＳＣ信号による監視制御網に障害が発生し、光伝送装置５００および図５に示した光伝送装置５００より下流にある光伝送装置６０〜８０および光伝送路の監視制御が行えなくなる。
【００８４】
この際、第二の監視制御部５５５は、第二のＯＳＣを発光（ＯＮ）させて（ステップＳ８０６）、第二のＯＳＣ信号を用いることにより、光伝送装置５００におけるＯＳＣ信号の監視制御網を予備側の第二の監視制御部５５５に切り替える（ステップＳ８０７）。この切り替えにより、第二の監視制御部５５５により第二のＯＳＣ信号を用いたＮＭＳ１と光伝送装置５００の監視制御情報の送受信が行われる。
【００８５】
そして、ＮＭＳ１から設定されるＷＤＭ信号のパスおよび光伝送装置の構成情報が第二のＯＳＣ送受信部５５３を介して光伝送装置５００に提供され、第二の監視制御部５５５のパス管理、障害監視、構成管理にかかる情報が更新される（ステップＳ８０８）。第二のパス管理部５２３ｄ、および第二の構成管理部５２３ｆが管理する情報は、第二のＯＳＣ送受信部５５３より受信したＮＭＳ１から設定されるパス管理、構成管理にかかる情報に更新される。
【００８６】
さらに、第二の障害監視部５２３ｅの警報情報は、自伝送機器の警報情報、およびＬＣＮ信号処理部５２３ｃが受信する光伝送装置５００と同じ拠点に配備された第一の監視制御部５０７を除く他の伝送機器からの監視制御情報に更新される。更新された監視制御情報は、第二のＯＳＣ信号処理部５２３ａを介してＮＭＳ１に送信される。
【００８７】
また、第一の監視制御部５０７のＣＰＵ５２１の外のＰＬＤ５２２で生成されるＣＰＵ５２１の動作状態の情報を含むアライブ情報は有効である。このため、第二の監視制御部５５５は、第一の監視制御部５０７から受信するＬＣＮ信号のアライブ情報に基づき、第一の監視制御部５０７が監視制御網の障害箇所であることを特定できる。
【００８８】
この後、第一の監視制御部５０７のＣＰＵの再起動が行われ、正常動作に復旧するまでの、第二の監視制御部５５５の監視制御処理を説明する。第二の監視制御部５５５は、第一の監視制御部５０７から受信するアライブ情報から、第一の監視制御部５０７のＣＰＵ５２１の動作状態を判定する（ステップＳ８０９）。第一の監視制御部５０７のＣＰＵ５２１が停止しており正常動作でない場合（ステップＳ８０９：Ｎｏ）、第二のＯＳＣの発光状態を、ＬＣＮ信号として第一の監視制御部５０７に送信し（ステップＳ８０４）、以上の一連の制御処理を終了し、ステップＳ８０１に戻り実行待機する。
【００８９】
ここで、第一の監視制御部５０７のＣＰＵ５２１が再起動完了により正常動作に復旧したとする。この場合、ＣＰＵ５２１の各部（第一のＯＳＣ信号処理部５２１ａ〜ウォッチドッグ出力部５２１ｇ）が動作開始する。
【００９０】
そして、ウォッチドッグ出力部５２１ｇから定期的に信号がＰＬＤ５２２のウォッチドッグ監視部５２２ｃに供給され、第一の監視制御部５０７から受信するアライブ情報が更新される。これにより、第二の監視制御部５５５は、第一の監視制御部５０７のＣＰＵ正常動作を検出する（ステップＳ８０９：Ｙｅｓ）。そして、第二の監視制御部５５５は、第二のＯＳＣの発光停止制御を行い（ステップＳ８１０）、第二のＯＳＣの発光停止状態（ＯＦＦ）を、ＬＣＮ信号として第一の監視制御部５０７に送信する（ステップＳ８０４）。
【００９１】
図９は、実施の形態１にかかる光伝送装置の第一の監視制御部が行う監視制御例を示すフローチャートである。図６に示した監視制御の冗長構成例において、第一の監視制御部５０７（判定部５２１ｆとＷＤ監視部５２２ｃ）が行う監視制御処理の一例を示す。
【００９２】
第一の監視制御部５０７のウォッチドッグ監視部５２２ｃは、監視する第一の監視制御部５０７のＣＰＵ５２１の動作状態を判定する（ステップＳ９０１）。第一の監視制御部５０７のＣＰＵ５２１が正常動作の場合（ステップＳ９０１：Ｙｅｓ）、判定部５２１ｆは、第二の監視制御部５５５からＬＣＮ信号を介して送信された第二のＯＳＣの発光状態を判定する（ステップＳ９０２）。
【００９３】
第二のＯＳＣが発光停止状態の場合（ステップＳ９０２：Ｎｏ）、判定部５２１ｆは、第一のＯＳＣを発光（ＯＮ）させる（ステップＳ９０３）。そして、判定部５２１ｆは、第一のＯＳＣ信号の発光状態を第二の監視制御部５５５に通知し、ＮＭＳ１と光伝送装置５００の監視制御情報の送受信を行う（ステップＳ９０４）。
【００９４】
一方、第二のＯＳＣが発光状態の場合（ステップＳ９０２：Ｙｅｓ）、判定部５２１ｆは、第一のＯＳＣを発光停止（ＯＦＦ）状態とする（ステップＳ９０５）。これにより、第一のＯＳＣと第二のＯＳＣが共に発光し、対向する光伝送装置３０に互いのＯＳＣ信号フレームが混じったＯＳＣ信号となって意図しないＯＳＣ監視制御を防ぐ。そして、判定部５２１ｆは、第一のＯＳＣ信号の発光状態を第二の監視制御部５５５に通知し、ＮＭＳ１と光伝送装置５００の監視制御情報の送受信を行う（ステップＳ９０４）。
【００９５】
また、第一の監視制御部５０７のＣＰＵが動作停止の場合（ステップＳ９０１：Ｎｏ）、ウォッチドック監視部５２２ｃは、第一のＯＳＣ光制御部５２２ｄに対し第一のＯＳＣ光の発光停止制御を行う（ステップＳ９０６）。第一のＬＣＮ制御フレーム処理部５２２ｂは、ウォッチドッグ監視部５２２ｃが監視する第一の監視制御部５０７のＣＰＵ５２１の動作状態と、第一のＯＳＣの発光状態を、ＬＣＮ信号として第二の監視制御部５５５に送信する（ステップＳ９０４）。
【００９６】
図１０は、実施の形態１にかかる光伝送装置の冗長化した監視制御の切替処理を示すシーケンス図である。図１０には、上記の図５および図６に示した第一の監視制御部５０７が停止し、再起動が完了して正常動作に復旧するまでの、第一の監視制御部５０７および第二の監視制御部５５５の制御処理を示す。また、上記の図８および図９で用いたフローチャートのステップを付してある。
【００９７】
光伝送装置５００の正常状態においては、第一の監視制御部５０７が正常動作（ステップＳ９０１：Ｙｅｓ）している。この際、第一の監視制御部５０７は、第一のＯＳＣ信号を発光させ（ステップＳ９０３）、対向の光伝送装置３０を介してＮＭＳ１との間で第一のＯＳＣ信号による監視制御網を構築する（ステップＳ１００１）。また、第一の監視制御部５０７は、ＬＣＮ信号のアライブ情報（ステップＳ９０４）により、第二のＯＳＣ信号を発光停止させる（ステップＳ８０２〜ステップＳ８０４）。
【００９８】
第一の監視制御部５０７のＣＰＵのソフトウェア更新や障害およびその復旧のためのＣＰＵのリセットに伴う第一の監視制御部５０７のＣＰＵが停止すると（ステップＳ９０１：Ｎｏ）、第一のＯＳＣ信号が発光停止する（ステップＳ９０６）。そして、ＬＣＮ信号のアライブ情報（ＮＯＴ  ＡＬＩＶＥ）（ステップＳ９０４）により、第二の監視制御部５５５は、第二のＯＳＣを発光させる（ステップＳ８０６）。
【００９９】
第二のＯＳＣ信号を用いることにより、光伝送装置５００におけるＯＳＣ信号の監視制御網は、第一の監視制御部５０７から第二の監視制御部５５５に切り替えられる（ステップＳ８０７、ステップＳ８０８）。対向の光伝送装置３０を介してＮＭＳ１との間で第二のＯＳＣ信号による監視制御網を構築する（ステップＳ１００２）。
【０１００】
この後、第一の監視制御部５０７のＣＰＵ５２１の再起動が行われて正常動作に復旧すると（ステップＳ９０１：Ｙｅｓ）、第一の監視制御部５０７は、第二のＯＳＣの発光状態を検出して、第一のＯＳＣを発光停止状態とする（ステップＳ９０５）。そして、第一の監視制御部５０７は、ＬＣＮ信号のアライブ情報（ステップＳ９０４）を第二の監視制御部５５５に通知する。
【０１０１】
第二の監視制御部５５５は、ＬＣＮ信号のアライブ情報により第一の監視制御部５０７の正常動作を検出し（ステップＳ８０９：Ｙｅｓ）、第二のＯＳＣの発光停止制御を行う（ステップＳ８１０）。そして、第二の監視制御部５５５は、第二のＯＳＣの発光停止状態を、ＬＣＮ信号として第一の監視制御部５０７に送信する（ステップＳ８０４）。
【０１０２】
そして、第一の監視制御部５０７は、第二のＯＳＣの発光停止状態を検出すると（ステップＳ９０２：Ｎｏ）、第一のＯＳＣを発光させ、第一のＯＳＣ信号を用いてＮＭＳ１と光伝送装置５００の監視制御情報の送受信を行う（ステップＳ９０３）。これにより、第一の監視制御部５０７は、再度、対向の光伝送装置３０を介してＮＭＳ１との間で第一のＯＳＣ信号による監視制御網を構築する（ステップＳ１００１）。
【０１０３】
以上説明した処理のように実施の形態１によれば、第一の監視制御部５０７の監視制御が停止している期間中は、第一の監視制御部５０７から予備の第二の監視制御部５５５に監視制御網を切り替える。そして、監視制御網を切り替え、および切り戻す時に、第一のＯＳＣと第二のＯＳＣを共に発光させることなく監視制御網の切り替えを行うことにより、対向する光伝送装置に互いのＯＳＣ信号フレームが混じったＯＳＣ信号が出力されることを防いでいる。このＯＳＣ信号の切り替えにより、混線したＯＳＣ信号が誤った監視制御信号となって、意図しないＷＤＭ信号パス制御による障害および警報情報の発生を防ぐことができる。
【０１０４】
図１１Ａ，図１１Ｂは、実施の形態１にかかる光伝送装置を用いた光伝送システムの複数障害発生時における監視制御の継続状態を説明する図である。図１１Ａには、図５に示した光伝送システムにおいて、光伝送装置５００のＯＡＤＭ機能部５１１に備える第一の監視制御部５０７の監視制御機能（図１１Ａ中箇所Ｘ１）が停止した状態を示す。さらに、図１１Ｂには、光伝送装置６０のＣＤ機能部６５０からＯＡＤＭ機能部６００に入力されるＷＤＭ信号パスに障害（図１１Ｂ中箇所Ｘ２）が生じた状態を示す。
【０１０５】
これら図１１Ａ，図１１Ｂの光伝送システムにおいては、光伝送装置６０のＯＡＤＭ機能部６１１は、ＣＤ機能部６５０からのＷＤＭ信号の入力断警報を検出する。
【０１０６】
従来技術では、図４に示したように、第一の監視制御部５０７が停止すると、ＬＣＮ信号処理およびＯＳＣ信号処理ができないので、光伝送装置６０が検出した装置警報情報およびパス障害情報はＬＣＮ信号処理およびＯＳＣ信号処理が停止した第一の監視制御部５０７で遮断されて、ＮＭＳ１に送信することができなかった。
【０１０７】
また、特許文献１の技術のように、ＷＤＭ信号を用いて他のレイヤの監視制御網が構成されて、ＷＤＭ信号レイヤ（Ｌ０）の監視制御情報の送受信に他のレイヤの監視制御網を利用する構成の場合を考察する。この場合でも、他のレイヤの監視制御網となるＷＤＭ信号パスの障害が生じると、Ｌ０ネットワークとＬｘネットワークの双方の監視制御網が遮断され、ＮＭＳ１は障害情報の収集とＷＤＭ信号パスの切替制御ができなくなる。
【０１０８】
上述のように、従来技術では、障害が発生したＷＤＭ信号パスについて切替制御を行うことができない。また、障害発生箇所の特定ができない。これにより、従来技術では、長い時間ネットワーク障害が継続し、障害復旧に多大な労力を費やすこととなり、ネットワーク保守上の課題を有していた。
【０１０９】
これに対し、上述した実施の形態１によれば、第一の監視制御部５０７が機能停止している場合には、第二のＯＳＣ送受信部５５３を備える第二の監視制御部５５５に切り替えられ、光伝送装置５００のＯＳＣ監視制御網を構築する。例えば、光伝送装置５００内では、監視制御が停止しているＯＡＤＭ機能部５１１の監視制御部５０７の経路を通らずに、ＣＤ機能部５５０の監視制御部５５５〜ＣＤ機能部５６０の監視制御部５５５〜ＯＡＤＭ機能部５１２の監視制御部に迂回する経路となる。このように、図１１Ａ，図１１Ｂ上の実線Ａで示す経路により、光伝送装置５００は、光伝送装置６０が検出した装置警報情報およびパス障害情報を第二のＯＳＣ送受信部５５３から光伝送装置３０を介してＮＭＳ１に送信することが可能となる。
【０１１０】
さらに、実施の形態１によれば、光伝送装置５００に備える第二のＯＳＣ送受信部５５３と第二の監視制御部５５５を介して光伝送システムの監視制御網が構築される。これにより、ＮＭＳ１による障害箇所（図１１Ｂの箇所Ｘ２）の特定だけでなく、障害が発生した箇所Ｘ２のＷＤＭ信号パスを、光伝送装置７０，８０を経由した別のＷＤＭ信号パス（図１１Ｂの入力信号Ｂの経路）に切り替えるパス切替制御が可能となる。これにより、複数箇所での障害発生時でも速やかに対策する保守操作が可能となり、監視制御ネットワークの高信頼化を実現できるようになる。
【０１１１】
さらに、実施の形態１によれば、拠点に配備された同じレイヤの伝送機器に第二のＯＳＣ送受信部を加えた冗長構成とすることにより、従来技術に比べて低コストで高信頼な監視制御ネットワークを実現できる。例えば、上記の特許文献１の如く別のレイヤに補完する監視制御網を備える構成では、異なるレイヤの装置を同じ拠点に格納することにより実現しているため、異なるレイヤの装置を同じ拠点に設置する大規模かつ高額なネットワークとなる。これに対し、実施の形態１では、安価な第二のＯＳＣ送受信部を予備用に備えることにより、ＷＤＭ信号レイヤの光伝送ネットワークのみで低コストかつ高信頼な監視制御網を構築できる利点がある。
【０１１２】
以上説明したように、本発明の実施の形態１によれば、遠隔拠点の光伝送装置との監視制御情報を送受信するＯＳＣ送受信部と監視制御機能を、光伝送路と接続してＷＤＭ信号を送受信する第一の伝送機器（例えば、ＯＡＤＭ機能部５１１）に備える。さらに、予備の冗長化したＯＳＣ送受部と監視制御機能を、光伝送装置と同じ拠点に配備された同じレイヤの第二の伝送機器（例えば、ＣＤ機能部５５０）に備える。
【０１１３】
これにより、第一の伝送機器の監視制御機能が停止して遠隔拠点の監視制御情報を送受信できない場合でも、第二の伝送機器のＯＳＣ送受信部と監視制御機能を用いて遠隔拠点の監視制御情報を送受信して、障害箇所を迂回したパス切り替えと障害箇所の特定を行える。そして、簡易かつ低コストで保守性と信頼性を高めた監視制御網を実現できる。
【０１１４】
（実施の形態２）
つぎに、本発明の実施の形態２を説明する。実施の形態１の光伝送装置５００では、図５のように、光伝送路を介して接続する光伝送装置３０とＯＳＣ信号を送受信するために、第一のＯＳＣ送受信部５０５と第二のＯＳＣ送受信部５５３をＷＤＭ信号に合分波するＷＤＭカプラ５９１と、ＷＤＭスプリッタ５９２を備える。実施の形態２では、第一のＯＳＣ送受信部５０５と第二のＯＳＣ送受信部５５３のＯＳＣ合分波部分に、ＯＳＣ信号の方路を切り替え可能な光スイッチをさらに設ける。
【０１１５】
図１２は、実施の形態２にかかる光伝送装置の構成例を示す図である。図１２に示す光伝送装置は、図５に示す光伝送装置５００の各構成を有する。そして、第一のＯＳＣ送受信部５０５および第二のＯＳＣ送受信部５５３とＷＤＭカプラ５９１の間に、第一の光スイッチ１２０１を設ける。また、第一のＯＳＣ送受信部５０５および第二のＯＳＣ送受信部５５３とＷＤＭスプリッタ５９２の間に、第二の光スイッチ１２０２を設ける。
【０１１６】
図１３は、実施の形態２にかかる光伝送装置の冗長化された監視制御部のハードウェア構成例を示す図である。図１２に示す光伝送装置５００のうち、ＯＡＤＭ機能部５１１に備える第一のＯＳＣ送受信部５０５と、ＬＣＮ送受信部５０６と、第一の光スイッチ１２０１と、監視制御情報を司る第一の監視制御部５０７の詳細な構成例を示す。また、ＣＤ機能部５５０に備える第二のＯＳＣ送受信部５５３と、ＬＣＮ送受信部５５４と、第二の光スイッチ１２０２と、監視制御情報を司る第二の監視制御部５５５の詳細な構成例を示す。
【０１１７】
第一の監視制御部５０７の第一の監視制御部５０７のＰＬＤ５２２には、実施の形態１で用いた第一のＯＳＣ光信号の光出力制御を行う第一のＯＳＣ光制御部５２２ｄ（図６参照）に代えて、光スイッチ制御部１３２２ｄを設けている。その他の各部の構成およびその動作は、実施の形態１（図６参照）に示した第一の監視制御部５０７と同じである。
【０１１８】
また、第二の監視制御部５５５のＰＬＤ５２４には、実施の形態１で用いた第二のＯＳＣ光信号の光出力制御を行う第二のＯＳＣ光制御部５２４ｃ（図６参照）を除いてある。その他の各部の構成およびその動作は、実施の形態１（図６参照）に示した第二の監視制御部５５５と同じである。
【０１１９】
上記の光スイッチ制御部１３２２ｄの動作について説明する。光スイッチ制御部１３２２ｄは、ウォッチドッグ監視部５２２ｃが監視する第一の監視制御部５０７のＣＰＵ５２１の動作状態に基づいて、第一の光スイッチ１２０１および第二の光スイッチ１２０２の方路切替制御を行う。
【０１２０】
そして、ＯＡＤＭ機能部５１１が備える第一の監視制御部５０７のＣＰＵ５２１による監視制御機能の停止を、ウォッチドッグ監視部５２２ｃが検出したとする。この場合、光スイッチ制御部１３２２ｄは、第一の光スイッチ１２０１および第二の光スイッチ１２０２の方路切替を行う。そして、第二の監視制御部５５５が第二のＯＳＣ送受信部５５３のＯＳＣ信号を用いて光伝送装置５００から下流の光伝送システムの監視制御情報をＮＭＳ１と送受信し、第一の監視制御部５０７に替わる予備の監視制御を機能させる。
【０１２１】
図１４は、実施の形態２にかかる光伝送装置の第一の監視制御部が行う監視制御例を示すフローチャートである。図６に示した監視制御の冗長構成例において、第一の監視制御部５０７（ＷＤ監視部５２２ｃと光スイッチ制御部１３２２ｄ）が行う監視制御処理の一例を示す。
【０１２２】
ウォッチドッグ監視部５２２ｃは、第一の監視制御部５０７のＣＰＵ５２１の動作状態を判定する（ステップＳ１４０１）。第一の監視制御部５０７のＣＰＵ５２１が正常動作の場合（ステップＳ１４０１：Ｙｅｓ）、光スイッチ制御部１３２２ｄは、第一の光スイッチ１２０１および第二の光スイッチ１２０２の方路を第一のＯＳＣ送受信部５０５に切り替える指示を行う（ステップＳ１４０２）。
【０１２３】
第一の監視制御部５０７のＣＰＵのソフトウェア更新や障害およびその復旧のためにＣＰＵ５２１がリセットする等して第一の監視制御部５０７のＣＰＵ５２１が停止したとする（ステップＳ１４０１：Ｎｏ）。この場合、光スイッチ制御部１３２２ｄは、第一の光スイッチ１２０１および第二の光スイッチ１２０２の方路を第二のＯＳＣ送受信部５５３に切り替える指示を行う（ステップＳ１４０３）。そして、第一のＬＣＮ制御フレーム処理部５２２ｂは、ウォッチドッグ監視部５２２ｃが監視する第一の監視制御部５０７のＣＰＵ５２１の動作状態を、ＬＣＮ信号として第二の監視制御部５５５に送信する。
【０１２４】
図１５は、実施の形態２にかかる光伝送装置の第二の監視制御部が行う監視制御例を示すフローチャートである。図１３に示した監視制御の冗長構成例において、ＬＣＮフレーム信号に含まれる第一の監視制御部５０７のアライブ情報に基づいた、第二の監視制御部５５５（ＣＰＵ５２３の判定部５２３ｂ）が行う監視制御処理の一例を示す。
【０１２５】
第二の監視制御部５５５は、第一の監視制御部５０７から受信するアライブ情報に基づき、第一の監視制御部５０７のＣＰＵ５２１が正常動作であるか否かを判定する（ステップＳ１５０１）。第一の監視制御部５０７のＣＰＵ５２１が正常動作の場合（ステップＳ１５０１：Ｙｅｓ）、第二の監視制御部５５５は、第一の監視制御部５０７から受信したＬＣＮ信号の情報を有効と判断する。そして、第二の監視制御部５５５は、第二のパス管理部５２３ｄ、第二の障害監視部５２３ｅ、および第二の構成管理部５２３ｆが管理する情報を更新する（ステップＳ１５０２）。
【０１２６】
一方、第一の監視制御部５０７のＣＰＵ５２１が停止しているとする（ステップＳ１５０１：Ｎｏ）。この場合、第二の監視制御部５５５は、第一の監視制御部５０７から受信するＬＣＮ信号のうち、第一の監視制御部５０７のＣＰＵ５２１が生成するパス管理、障害監視、構成管理にかかる情報を無効と判断して破棄する（ステップＳ１５０３）。
【０１２７】
この場合、第一の監視制御部５０７のＣＰＵ５２１の停止により、ＮＭＳ１から光伝送装置５００へのＯＳＣ信号による監視制御網に障害が発生する。そして、図５に示した光伝送装置５００および光伝送装置５００より下流にある光伝送装置および光伝送路の監視制御が行えなくなる。
【０１２８】
この際、第一の監視制御部５０７の光スイッチ制御部１３２２ｄは、第一の光スイッチ１２０１および第二の光スイッチ１２０２の方路を第二のＯＳＣ送受信部５５３に切り替え指示している（図１４のステップＳ１４０３）。この第二のＯＳＣ信号を用いることにより、光伝送装置５００におけるＯＳＣ信号の監視制御は、第二の監視制御部５５５に切り替えられる（ステップＳ１５０４）。
【０１２９】
この切り替えにより、第二の監視制御部５５５が第二のＯＳＣ信号を用いてＮＭＳ１と光伝送装置５００の監視制御情報の送受信を行い、第二の監視制御部５５５によるパス管理、障害監視、構成管理にかかる情報が更新される（ステップＳ１５０５）。
【０１３０】
ここで、第一の監視制御部５０７のＣＰＵ５２１の外のＰＬＤ５２２で生成されるＣＰＵ５２１の動作状態の情報を含むアライブ情報は有効である。このため、第二の監視制御部５５５は、第一の監視制御部５０７から受信するＬＣＮ信号のアライブ情報に基づき、第一の監視制御部５０７が監視制御網の障害箇所であることを特定できる。
【０１３１】
この後、第一の監視制御部５０７のＣＰＵ５２１が再起動され、正常動作に復旧した後は、図１５のステップＳ１５０１（ステップＳ１５０１：Ｙｅｓ）〜ステップＳ１５０２の処理が実行される。
【０１３２】
図１６は、実施の形態２にかかる光伝送装置の冗長化した監視制御の切替処理を示すシーケンス図である。図１６には、上記の図１４および図１５に示した第一の監視制御部５０７が停止し、再起動が完了して正常動作に復旧するまでの、第一の監視制御部５０７および第二の監視制御部５５５の制御処理を示す。また、上記の図１４および図１５で用いたフローチャートのステップを付してある。
【０１３３】
光伝送装置５００の正常状態においては、第一の監視制御部５０７のＣＰＵ５２１が正常動作している（ステップＳ１３０１：Ｙｅｓ）。この際、光スイッチ制御部１３２２ｄは第一のＯＳＣ送受信部５０５に方路指示し（ステップＳ１４０２）、第一のＯＳＣ信号により、光伝送装置５００は、対向の光伝送装置３０とＯＳＣ信号の監視制御網を構築する（ステップＳ１６０１）。
【０１３４】
ここで、第一の監視制御部５０７がソフトウェア更新や障害およびその復旧のためにＣＰＵ５２１がリセットし、第一の監視制御部５０７のＣＰＵ５２１が停止したとする（ステップＳ１３０１：Ｎｏ）。この場合、光スイッチ制御部１３２２ｄは、第二のＯＳＣ送受信部５５３に方路の切り替えを指示する（ステップＳ１４０３）。この第二のＯＳＣ信号を用いることにより、光伝送装置５００におけるＯＳＣ信号の監視制御網は、第二の監視制御部５５５に切り替えられる。第二のＯＳＣ信号により、光伝送装置５００は、対向の光伝送装置３０とＯＳＣ信号の監視制御網を構築する（ステップＳ１６０２）。
【０１３５】
この後、第一の監視制御部５０７のＣＰＵの再起動が行われて正常動作に復旧したとする（ステップＳ１３０１：Ｙｅｓ）。この場合、光スイッチ制御部１３２２ｄは、第一のＯＳＣ送受信部５０５に方路指示して（ステップＳ１４０２）、第一のＯＳＣ信号により、対向の光伝送装置３０とＯＳＣ信号の監視制御網を構築する（ステップＳ１６０１）。
【０１３６】
実施の形態２の他の構成例としては、図１３にした第一の監視制御部５０７に設けた光スイッチ制御部１３２２ｄを第二の監視制御部５５５に設けてもよい。この場合、光スイッチ制御部１３２２ｄ第二のＬＣＮ送受信部５５４が受信するＬＣＮフレーム信号に含まれる第一の監視制御部５０７のアライブ情報に基づいて、第一の光スイッチ１２０１および第二の光スイッチ１２０２の方路の切替制御を行う。
【０１３７】
この光スイッチ制御部１３２２ｄは、第一の監視制御部５０７のアライブ情報により、第一の監視制御部５０７のＣＰＵ５２１が動作している時には、第一の光スイッチ１２０１および第二の光スイッチ１２０２の方路を第一のＯＳＣ送受信部５０５に切り替え指示する。また、第一の監視制御部５０７のＣＰＵが動作停止している時には、第一の光スイッチ１２０１および第二の光スイッチ１２０２の方路を第二のＯＳＣ送受信部５５３に切り替え指示する。このような他の構成例においても、実施の形態２と同じ作用効果を得ることができる。
【０１３８】
図１７は、実施の形態２の他の光伝送装置の構成例を示す図である。上述した実施の形態１および実施の形態２では、光伝送装置５００内のＬＣＮ監視制御網がリング構成の監視制御ネットワークの例を用いて説明した（図５参照）。これに限らず、図１７に示すようなＬＣＮ監視制御をハブ構成とし、ハブとなるＬＣＮ信号パス制御部１７０１を介して監視制御網の切り替えを行ってもよい。
【０１３９】
上述した実施の形態２によれば、実施の形態１同様に第一の監視制御部５０７の監視制御の停止時に、第一の監視制御部５０７から第二の監視制御部５５５に監視制御網を切り替えて、ＮＭＳ１との監視制御網を速やかに再構築でき、速やかな保守操作が可能となる。加えて、実施の形態２によれば、光スイッチを追加した方路の切り替え指示により、第一と第二のＯＳＣ信号フレームが混じることがなく、簡易かつより低コストに保守性と信頼性を高めた監視制御網を実現できる。
【０１４０】
以上説明した各実施の形態によれば、光伝送装置は、遠隔拠点の光伝送装置との監視制御情報を送受信するＯＳＣ送受信部と監視制御部を冗長化して設けた。これらＯＳＣ送受信部と監視制御部は、光伝送路と接続してＷＤＭ信号を送受信する第一の伝送機器（例えばＯＡＤＭ機能部）に備えるとともに、光伝送装置と同じ拠点に配備された同じレイヤの第二の伝送機器（例えばＣＤ機能部）に備えた。
【０１４１】
ここで、第二の伝送機器は、第一の伝送機器と機能が異なるものであり、単に第一の伝送機器の機能（例えばＯＡＤＭ機能部）を冗長化して設けたものではなく、ＯＳＣを分岐して監視制御情報を常に送出するための冗長構成としている。したがって、余分な冗長構成ではなく、コスト高にはならない。
【０１４２】
そして、第一の伝送機器のＣＰＵがソフトウェアアップデート等により監視制御機能が停止し、遠隔拠点の監視制御情報を送受信できない場合でも、第二の伝送機器のＯＳＣ送受信部と監視制御機能を用いて遠隔拠点の監視制御情報を送受信できる。ＮＭＳにネットワーク上での障害発生状態を通知でき、監視制御ネットワークの保守性と高信頼性を高め、かつ低コスト化した監視制御が行えるようになる。
【０１４３】
これに対し、従来技術では、伝送機器が冗長化されておらず、光伝送装置内の監視制御機能が停止すると、遠隔拠点の監視制御情報を送受信できずＮＭＳに通知できなくなる。また、特許文献１の如くＬｘネットワークの監視制御網でも、Ｌ０ネットワークをＬｘ監視制御網として用いるので、Ｌ０ネットワークに障害が生じるとＬＸネットワーク部分の障害箇所をＮＭＳに通知できなくなる。
【０１４４】
この点、実施の形態によれば、ＯＳＣを用いた監視制御機能を冗長化することにより、光伝送装置内での第一の伝送機器による監視機能が停止した場合でも、第二の伝送機器を用いて、自装置内および遠隔拠点の監視制御情報を継続して送受信できる。
【０１４５】
冗長化して設けた監視制御部は、監視制御網を切り替え、および切り戻す時に、第一の伝送機器と第二の伝送機器のＯＳＣを共に発光させる動作中の伝送機器のＯＳＣのみを送出する。また、冗長化した監視制御部のＯＳＣ送受信部が送出するＯＳＣ信号を光スイッチで切り替え、動作中の監視制御部のみ監視制御網（ネットワーク）に送出する構成とすることもできる。これにより、対向する光伝送装置に互いのＯＳＣ信号フレームが混じったＯＳＣ信号が出力されることを防ぐことができる。このＯＳＣ信号の切り替えにより、混線したＯＳＣ信号が誤った監視制御信号となって、意図しないＷＤＭ信号パス制御による障害および警報情報の発生を防ぐことができる。
【０１４６】
さらに、自装置内で第一の伝送機器と第二の伝送機器との間でＬＣＮを用いて監視制御情報をリング状あるいはハブ上に相互に送受信する構成とすることで、自装置内での障害箇所を迂回したパス切り替えが行える。これにより、第一の伝送機器の監視制御の停止時においても、自装置内および遠隔拠点の監視制御情報をＮＭＳに通知でき、障害箇所の特定を行えるようになる。
【０１４７】
また、第一の伝送機器がＣＰＵとプログラム可能な半導体デバイスを有することで、ＣＰＵのソフトウェアアップデートによるリセット等で監視制御が停止したことをプログラム可能な半導体デバイスにより簡単に検出できる。この第一の伝送機器のＣＰＵの監視制御の停止は、ウォッチドッグタイマを用いて簡単に検出できる。
【０１４８】
なお、実施の形態では、監視制御部の停止がＣＰＵのアップグレード等に基づくものを例に説明したが、ＯＳＣの監視制御を冗長化する構成であるため、ＣＰＵを含まない機能部の停止時においても同様に他の機能部による監視制御に切り替えてＯＳＣによる監視制御を継続できる。例えば、機能部ごとに挿抜（増設）可能なブレード構成の光伝送装置に適用し、ブレードの故障等による機能停止時でも他のブレードにより監視制御を継続でき、遠隔拠点の監視制御情報についても送受信を継続でき、故障個所を特定できるようになる。
【０１４９】
また、実施の形態の監視制御情報は、ＷＤＭ信号回線の監視の信頼性が損なわれるアウトバンド方式ではなく、ＷＤＭ信号（主信号）と同一の光伝送路を用いるインバンド方式の監視制御ネットワークであり、ネットワークの障害監視の信頼性を高めることができる。そして、自装置内に上記監視制御情報をリングやハブ接続し迂回できる冗長構成としており、インバンド方式の利点を損なわずに高信頼性を有する監視制御が行える。
【０１５０】
なお、本実施の形態で説明した光伝送方法は、あらかじめ用意された制御プログラムを対象機器等のコンピュータ（プロセッサ等）が実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【０１５１】
上述した実施の形態に関し、さらに以下の付記を開示する。
【０１５２】
（付記１）光伝送路上に複数配置され、主信号の光通信を行う光伝送装置であって、
前記光伝送装置の警報監視および信号制御を行う第一の監視制御部と、
前記第一の監視制御部の停止期間中、前記光伝送装置の警報監視および信号制御を行う第二の監視制御部と、
前記第一の監視制御部および前記第二の監視制御部が対向する他の光伝送装置との間で前記警報監視の監視制御情報を送受信する装置間監視制御信号送受信部と、
対向する他の光伝送装置との間で光通信する前記主信号に対し、前記監視制御情報を合波および分波する合分波部と、
を備えたことを特徴とする光伝送装置。
【０１５３】
（付記２）前記第一の監視制御部および前記第二の監視制御部は、それぞれＣＰＵと、プログラム可能な半導体デバイスを有し、
前記第一の監視制御部の前記プログラム可能な半導体デバイスは、前記前記第一の監視制御部の前記ＣＰＵが正常に動作しているか否かを検出し、前記ＣＰＵの停止時に前記監視制御情報により前記第二の監視制御部に通知するウォッチドッグ監視部を備えたことを特徴とする付記１に記載の光伝送装置。
【０１５４】
（付記３）前記第一の監視制御部と、前記第二の監視制御部との間で前記監視制御情報を送受信する装置内監視制御信号送受信部を有することを特徴とする付記１または２に記載の光伝送装置。
【０１５５】
（付記４）前記第一の監視制御部および前記第二の監視制御部それぞれの前記装置間監視制御信号送受信部と、前記合分波部との間に設けられ、対向する他の光伝送装置との間で光通信する前記監視制御情報を前記第一の監視制御部または前記第二の監視制御部のいずれかに切り替える光スイッチを有し、
前記プログラム可能な半導体デバイスは、制御動作している前記第一の監視制御部または前記第二の監視制御部に前記監視制御情報を入出力するよう前記光スイッチを切り替え制御する光スイッチ制御部を備えることを特徴とする付記１〜３のいずれか一つに記載の光伝送装置。
【０１５６】
（付記５）前記第一の監視制御部の前記プログラム可能な半導体デバイスは、
前記第一の監視制御部の前記ＣＰＵが正常動作の場合、前記第一の監視制御部から前記装置間監視制御信号送受信部を介して前記監視制御情報を対向する光伝送装置に出力させるとともに、前記装置内監視制御信号送受信部により前記第一の監視制御部の前記ＣＰＵの正常動作を前記第二の監視制御部に通知して前記第二の監視制御部の前記装置間監視制御信号送受信部からの前記監視制御情報の出力を停止させ、
前記第一の監視制御部の前記ＣＰＵが停止した場合、前記装置間監視制御信号送受信部による前記監視制御情報の出力を停止するとともに、前記装置内監視制御信号送受信部により前記第一の監視制御部の前記ＣＰＵの停止を前記第二の監視制御部に通知して前記第二の監視制御部の前記装置間監視制御信号送受信部から前記監視制御情報の出力を行わせることを特徴とする付記２または３に記載の光伝送装置。
【０１５７】
（付記６）前記第一の監視制御部の前記プログラム可能な半導体デバイスは、
前記第一の監視制御部の前記ＣＰＵが正常動作の場合、前記第一の監視制御部から前記装置間監視制御信号送受信部を介して前記監視制御情報を対向する光伝送装置との間で入出力する方路指示を前記光スイッチに出力し、
前記第一の監視制御部の前記ＣＰＵが停止した場合、前記第二の監視制御部から前記装置間監視制御信号送受信部を介して前記監視制御情報を対向する光伝送装置との間で入出力する方路指示を前記光スイッチに出力する、
ことを特徴とする付記４に記載の光伝送装置。
【０１５８】
（付記７）前記主信号は、複数の信号が波長多重されたＷＤＭ信号であり、
前記装置間監視制御信号送受信部は、ＯＳＣ（Ｏｐｔｉｃａｌ  Ｓｕｐｅｒｖｉｓｏｒｙ  Ｃｈａｎｎｅｌ）を用いて前記監視制御情報を送受信し、
前記合分波部は、前記ＷＤＭ信号に前記監視制御情報を合分波するカプラおよびスプリッタであることを特徴とする付記１〜６のいずれか一つに記載の光伝送装置。
【０１５９】
（付記８）前記第一の監視制御部および前記第二の監視制御部を一組として、対向する上流の光伝送装置との間で前記監視制御情報を入出力し、もう一組の前記第一の監視制御部および前記第二の監視制御部により、対向する下流の光伝送装置との間で前記監視制御情報を入出力することを特徴とする付記１〜７のいずれか一つに記載の光伝送装置。
【０１６０】
（付記９）前記装置内監視制御信号送受信部は、複数組からなる前記第一の監視制御部および前記第二の監視制御部にそれぞれ設けられ、装置内でリング状の経路を有して前記監視制御情報を入出力することを特徴とする付記３〜８のいずれか一つに記載の光伝送装置。
【０１６１】
（付記１０）複数組からなる前記第一の監視制御部および前記第二の監視制御部がそれぞれハブとなり、装置内信号パス制御部の制御に基づき、装置内のハブ間の経路を有して前記監視制御情報を入出力することを特徴とする付記３〜８のいずれか一つに記載の光伝送装置。
【０１６２】
（付記１１）前記第二監視制御部は、前記第一監視制御部の停止中、装置内の前記経路を迂回して対向する上流および下流の光伝送装置に対し前記監視制御情報を入出力することを特徴とする付記９または１０に記載の光伝送装置。
【０１６３】
（付記１２）光伝送路上に複数配置され、主信号の光通信を行う光伝送装置からなる光伝送システムであって、
前記光伝送装置は、
前記光伝送装置の警報監視および信号制御を行う第一の監視制御部と、
前記第一の監視制御部の停止期間中、前記光伝送装置の警報監視および信号制御を行う第二の監視制御部と、
前記第一の監視制御部および前記第二の監視制御部が対向する他の光伝送装置との間で前記警報監視の監視制御情報を送受信する装置間監視制御信号送受信部と、
対向する他の光伝送装置との間で光通信する前記主信号に対し、前記監視制御情報を合波および分波する合分波部と、を備え、
複数の光伝送装置は、前記光伝送路を介してネットワーク管理装置に前記監視制御情報を出力することを特徴とする光伝送システム。
【０１６４】
（付記１３）前記光伝送路は、インバンドの監視制御ネットワークであることを特徴とする付記１２に記載の光伝送システム。
【０１６５】
（付記１４）光伝送路上に複数配置され、主信号の光通信を行う光伝送装置の光伝送方法であって、
前記光伝送装置の警報監視および信号制御を行う第一の監視制御部の停止期間中、前記光伝送装置の警報監視および信号制御を第二の監視制御部が行い、
前記第一の監視制御部および前記第二の監視制御部が対向する他の光伝送装置との間で前記警報監視の監視制御情報を送受信し、
対向する他の光伝送装置との間で光通信する前記主信号に対し、前記監視制御情報を合波および分波させる、
ことを特徴とする光伝送方法。
【符号の説明】
【０１６６】
１  ネットワーク管理装置（ＮＭＳ１）
１０〜８０，５００  光伝送装置
１２，２１，２３，３２，３５，５５  光伝送路
５０１  送信ＷＳＳ
５０２  ポスト型アンプ
５０３  プリ型アンプ
５０４  受信ＷＳＳ
５０５，５５３  ＯＳＣ送受信部
５０６，５５４  ＬＣＮ送受信部
５０７，５５５  監視制御部
５１１，５１２，５１５，５５２  ＯＡＤＭ機能部
５２１，５２３  ＣＰＵ
５２１ａ，５２３ａ  ＯＳＣ信号処理部
５２１ｂ，５２３ｃ  ＬＣＮ信号処理部
５２１ｃ，５２３ｄ  パス管理部
５２１ｄ，５２３ｅ  障害監視部
５２１ｅ，５２３ｆ  構成管理部
５２１ｆ，５２３ｂ  判定部
５２１ｇ  ウォッチドッグ出力部
５２２，５２４  ＰＬＤ
５２２ａ，５２４ａ  ＯＳＣ制御フレーム処理部
５２２ｂ，５２４ｂ  ＬＣＮ制御フレーム処理部
５２２ｃ  ウォッチドッグ監視部
５２２ｄ，５２４ｃ  ＯＳＣ光制御部
５５０，５６０  ＣＤ機能部
５５０−１〜５５０−ｎ，５６０−１〜５６０−ｎ  トランスポンダ部
５５１  ＣＤ合波部
５５２  ＣＤ分波部
５９１，５９３  ＷＤＭカプラ
５９２，５９４  ＷＤＭスプリッタ
７００  監視制御情報
１２０１，１２０２  光スイッチ
１３２２ｄ  光スイッチ制御部
１７０１  ＬＣＮ信号パス制御部
【図１】
2019057761.tif 000003
【図２】
2019057761.tif 000004
【図３】
2019057761.tif 000005
【図４】
2019057761.tif 000006
【図５】
2019057761.tif 000007
【図６】
2019057761.tif 000008
【図７】
2019057761.tif 000009
【図８】
2019057761.tif 000010
【図９】
2019057761.tif 000011
【図１０】
2019057761.tif 000012
【図１１Ａ】
2019057761.tif 000013
【図１１Ｂ】
2019057761.tif 000014
【図１２】
2019057761.tif 000015
【図１３】
2019057761.tif 000016
【図１４】
2019057761.tif 000017
【図１５】
2019057761.tif 000018
【図１６】
2019057761.tif 000019
【図１７】
2019057761.tif 000020